(57)【特許請求の範囲】
【請求項１】
上下に昇降して開口部(14)を開閉自在に閉成するスライド扉(16)を備え、該スライド扉(16)が上昇して該開口部(14)を完全に閉成したときは、該スライド扉(16)の左右下端と弾性片(26)とが弾力的に係合して該スライド扉(16)を閉成姿勢に保持するストッカー(10)において、
前記スライド扉(16)が上下に昇降する領域の左右にスペーサガイド(42)が固定されており、
前記左右のスペーサガイド(42)は前記スライド扉(16)の左右両側端縁と対応的に当接して、該スライド扉(16)と前記ストッカー(10)の固定部位との間に一定のスペースを確保するようになっており、
前記ストッカーの固定部位は、該ストッカー正面の左右に立設した一対のガイドレール(22)であって、前記スペーサガイド(42)は夫々のガイドレール(22)に固定されている
ことを特徴とするストッカー。
【請求項２】
上下に昇降して開口部(14)を開閉自在に閉成するスライド扉(16)を備え、該スライド扉(16)が上昇して該開口部(14)を完全に閉成したときは、該スライド扉(16)の左右下端と弾性片(26)とが弾力的に係合して該スライド扉(16)を閉成姿勢に保持するストッカー(10)において、
前記スライド扉(16)が上下に昇降する領域の左右にスペーサガイド(42)が固定されており、
前記左右のスペーサガイド(42)は前記スライド扉(16)の左右両側端縁と対応的に当接して、該スライド扉(16)と前記ストッカー(10)の固定部位との間に一定のスペースを確保するようになっており、
前記スライド扉(16)における左右下端の夫々に第２ローラー(56)を回転自在に枢支し、該スライド扉(16)が上昇して前記開口部(14)を完全に閉成したときは、前記第２ローラー(56)に前記弾性片(26)が弾力的に係合するようになっている
ことを特徴とするストッカー。
【請求項３】
前記ストッカー(10)の固定部位は、該ストッカー正面の左右に位置する一対のフレーム(36)であって、前記スペーサガイド(42)は夫々のフレーム(36)に固定されている請求項１または２記載のストッカー。
【請求項４】
前記スペーサガイド(42)はローラーであって、該ローラー(42)は前記ストッカー正面の左右に位置する一対のフレーム(36)の夫々に回転自在に枢支されている請求項１または２記載のストッカー。
【発明の詳細な説明】
【技術分野】
【０００１】
この発明は、上下に昇降して開口部を開閉するスライド扉を備えたストッカーに関し、殊に該スライド扉を左右何れかに片寄った力で上昇または下降させても、該スライド扉が一方に傾斜することがなく、水平姿勢を保持して円滑に昇降し得るようにしたスライド扉の保持構造に関するものである。
【背景技術】
【０００２】
例えば、内部に多数の角氷を貯留する貯氷庫には、これら角氷をスコップで取り出すための開口部がフロントパネル正面に開設され、この開口部は該フロントパネルの裏側に昇降自在に配置したスライド扉によって開閉し得るようになっている。本発明は、操作者が前記スライド扉を昇降させる際に一方へ偏倚した力を加えても、水平姿勢を保持して安定に昇降し得る構造に係るものであるので、先ず貯蔵庫の開口部を閉成するスライド扉について説明する。
【０００３】
(貯氷庫１０について)
図１８は、貯氷庫１０の概略構成を示す斜視図であって、該貯氷庫１０の前面はフロントカバー１２で被覆されると共に、該フロントカバー１２の上方に矩形状で横長の開口部１４が開設されている。前記フロントカバー１２の裏側には、図１８(１)に示すように、上下にスライドして前記開口部１４を開閉自在に閉成するスライド扉１６が配置されている。前記スライド扉１６の上方には、横長のドアハンドル１８が取り付けられている。なお、図１８(１)は、前記スライド扉１６を完全に上昇させて前記開口部１４を閉成した状態を示し、また図１８(２)は、該スライド扉１６を完全に下降させて該開口部１４を開放した状態を示している。前記貯氷庫１０の頂部が広く開放しているのは、該貯氷庫１０の上方に載置した製氷機(図示せず)からの角氷を該貯氷庫１０へ放出落下させるためである。
【０００４】
図１９(１)、図２５(１)および図２６(１)は、前記貯氷庫１０から前記フロントカバー１２を外して前面を開放した状態を示すもので、前記開口部１４を挟む両側に位置する貯氷庫本体を構成するフレーム３６(図１９(２)参照)にスライドレール２０，２０が縦に取り付けられ、また前記スライドレール２０，２０の下方には各スライドレール２０と対応的に整列してガイドレール２２，２２が同じく前記フレーム３６に取り付けられている。そして前記スライド扉１６は、前記スライドレール２０，２０に挟まれて摺動しつつ昇降して前記開口部１４を開閉する。また、前記開口部１４の開放または閉成に伴って、前記スライド扉１６は前記ガイドレール２２，２２に案内されつつ昇降する。なお、前記スライド扉１６が上昇位置にあって前記開口部１４を完全に閉成した際は、その閉成状態を安定的に保持する必要がある。このためにスライド扉１６の保持構造は、図１９(２)および図２１(２)に示す如く、前記スライド扉１６の下端縁に取り付けたワイパ２４の左右突出端２４ａに対して、前記ガイドレール２２に固定した弾性片２６の山形部２６ａが弾力的に当接することにより保持を行うようになっている。
【０００５】
(スライド扉１６について)
図２０は前記スライド扉１６の概略を示すもので、図２０(１)は該スライド扉１６の裏側平面図、図２０(２)は表側斜視図、図２０(３)は該スライド扉１６の裏側斜視図である。図２０(１)〜(３)に示すように、前記スライド扉１６を構成するドアパネル２８の裏側下端縁には、長手方向に軟質で弾性を有する合成樹脂を材質とするワイパ２４が取り付けられ、該ワイパ２４の左右両端は前記ドアパネル２８の左右端縁よりも僅かに突出する突出端２４ａになっている。前記ワイパ２４を前記ドアパネル２８に固定するには、図２０(１)および図２０(５)に示すように、横長の当て板３０により該ワイパ２４を該ドアパネル２８に当てがい、ボルト３２とナット３４とにより締付けるようになっている。なお、前記スライド扉１６のドアパネル２８は、図２０(１)に示すように、左右両側の上方が凸部２８ａとして形成され、下方が凹部２８ｂとして形成されている(この凸部２８ａおよび凹部２８ｂの機能については後述する)。
【０００６】
(弾性片２６について)
図１９(２)および図２１(２)に示し、かつ前述したように、前記貯氷庫１０における両側に垂直に位置する前記フレーム３６，３６の夫々には、前記スライドレール２０およびガイドレール２２が上下の関係で整列して取り付けられている。そして前記スライド扉１６は、所定距離で離間して対向する前記スライドレール２０，２０およびガイドレール２２，２２の間を上昇および下降が可能になっている。すなわち図２３(２)に示すように、前記ドアパネル２８の上方に設けられた前記凸部２８ａは、前記スライドレール２０に当接して上下に摺動可能になっている。このとき、前記ドアパネル２８の下方に設けた前記凹部２８ｂは、前記スライドレール２０およびガイドレール２２の何れにも接触しないので、前記スライド扉１６の昇降操作時の摩擦がなく少ない力で操作することができる。
【０００７】
前記ガイドレール２２は、例えば断面Ｌ字の形鋼からなり、図１９(２)および図２１(２)に示すように、該ガイドレール２２の上方に矩形状の角穴部３８が抜き穴として設けてある。この角穴部３８の開設位置は、図２１(２)に示すように、前記スライド扉１６を完全に上昇させて前記開口部１４を閉成した際に、前記ドアパネル２８の下部側縁から僅かに延出する前記突出端２４ａ(ワイパ２４の)と略対向する関係に設定してある。
【０００８】
前記ガイドレール２２には、図２１(２)に示すように、弾力性に富む鋼材を使用した弾性片２６がボルト４０により固定されている。この弾性片２６の自由端は、山形状に折曲した山形部２６ａとして形成され、該山形部２６ａは、前記ガイドレール２２の角穴部３８に臨むと共に、該ガイドレール２２の垂直な案内面よりも内方へ延出している。
【０００９】
前記スライド扉１６の下方側縁から突出する前記突出端２４ａ(ワイパ２４の)と、前記弾性片２６の山形部２６ａとの位置関係は前述した通りに設定されている。従って、図１９(２)および図２１(２)に示すように、前記スライド扉１６を完全に上昇させたときは、前記突出片２４ａが前記山形部２６ａに当接して下方から支持され、該スライド扉１６を安定した閉成姿勢に保持する。次いで、前記開口部１４を開放するべく前記スライド扉１６を押し下げると、図２２(２)に示すように、前記ワイパ２４の突出端２４ａは前記弾性片２６の山形部２６ａを外方へ後退変位させるため、該突出端２４ａと山形部２６ａとの当接係合が解除され、該スライド扉１６はそのまま下降する。そして前記山形部２６ａから離間した前記突出端２４ａは、図２２(２)に示す如く、前記ガイドレール２２の垂直な案内面に当接するので、前記スライド扉１６を円滑に下方へ案内することができる。
【００１０】
(ワイパ２４について)
前記ワイパ２４は、図２１(２)に関して説明したように、前記突出端２４ａと弾性片２６との係合による前記スライド扉１６の位置保持機能と、図２２(２)に関して説明したように、該突出端２４ａが前記ガイドレール２２に当接して該スライド扉１６を安定に昇降案内する機能とを果たすが、それ以外に図２７に示す機能を果たしている。すなわち、図２７(２)の縦断面図に示す如く、前記貯氷庫１０の開口部１４と前記スライド扉１６のドアパネル２８との間には隙間が存在するため、該貯氷庫１０に貯留した氷塊群により冷やされた庫内冷気が前記隙間に矢印で示す如く流れ込む。しかし、図２７(２)に示すように、前記ワイパ２４は貯氷庫本体の前壁面に密着的に当接しているので、前記庫内冷気が外部へ漏出するのが防止される。また、貯氷庫内の氷塊群の冷気により前記前壁面には不可避的に結露を生ずるが、前記スライド扉１６を下降させる際に、前記ワイパ２４が結露水を拭って下方のガイドドレンへ掻き流す機能を果たす。
【先行技術文献】
【特許文献】
【００１１】
【特許文献１】特開２００２−３１４４６号公報
【発明の概要】
【発明が解決しようとする課題】
【００１２】
前述したように、貯氷庫１０の開口部１４を昇降自在なスライド扉１６で開放および閉成する機構は、需要者が氷を取り出す場合は該スライド扉１６を下降させると該開口部１４が開放し、また該スライド扉１６を上昇させると閉成するので、使い勝手が極めて良いものである。しかし、前記スライド扉１６を下降させた際に、前記ワイパ２４の突出端２４ａは、本来ならば図２２(２)に示すように、前記弾性片２６の山形部２６ａから離脱して、円滑に前記ガイドレール２２の案内面へ移行すべきものである。しかし、前記突出端２４ａは、図２４(２)に示すように、何らかの弾みで前記ガイドレール２２の角穴部３８へ嵌り込んで中途停止してしまうことがある。このとき、衝撃音その他の異音も発生し、操作者に不快な操作感を与えてしまう。
【００１３】
また図２５(１)に示すように、前記スライド扉１６のドアハンドル１８に操作者が手を掛けて押し下げる場合、該ドアハンドル１８の左端に手を掛けて操作すると、該スライド扉１６は斜め左側へ傾いた状態で下降することになる。すると図２５(２)に示すように、前記ドアパネル２８における右側の前記突出端２４ａは、前記ガイドレール２２の角穴部３８に嵌り込んだ状態で下降して該角穴部３８の下部開放端に接触するため、該突出端２４ａが摩耗したり変形したりする欠点がある。また、前記接触時の異音や衝撃音は、貯氷庫１０の設置環境の雰囲気を害することになる。更に、前記突出端２４ａが前記角穴部３８に嵌り込むことにより、該角穴部３８の下部開放端が変形したり破損したりすることもある。加えて、図２５(２)から判る如く、前記弾性片２６には撓曲可能な限界を超えた力が加わるために、該弾性片２６の耐久性が低下する欠点も指摘される。また、前記ドアパネル２８における左側の突出端２４ａは、図２５(３)に示すように、該ドアパネル２８の斜め左方への傾きに伴い、前記弾性片２６の山形部２６ａに全く当接しなくなる。このため、本来ならば前記弾性片２６が弾力的に後退することにより操作者には緩衝感覚が得られる筈が、抵抗がなくなるため一挙に前記スライド扉１６が降下してしまう難点もある。
【００１４】
更に、図２６(１)に示すように、操作者が前記ドアハンドル１８の右端に手を掛けて持ち上げた場合、前記スライド扉１６は斜め左側へ傾いた状態で上昇することになる。すると図２６(２)に示すように、前記ドアパネル２８における右側の前記突出端２４ａは、前記ガイドレール２２の角穴部３８に嵌り込んだ状態で上昇して該角穴部３８の上部開放端に接触するため、該突出端２４ａが摩耗したり変形したりする欠点がある。また、前記接触時の異音や衝撃音は、貯氷庫１０の設置環境の雰囲気を害することになる。更に、前記突出端２４ａが前記角穴部３８に嵌り込むことにより、該角穴部３８の上部開放端が変形したり破損したりすることもある。更に、図２６(３)に示すように、前記ドアパネル２８における左側の突出端２４ａは、前記弾性片２６の山形部２６ａと当接する面積が小さくなってしまう。すなわち左右の前記弾性片２６，２６には、前記突出端２４ａ，２４ａによる均一な応力が加わらないために、僅かな振動や何かの弾みによって、前記弾性片２６と突出端２４ａとの係合が解除されてしまう。一方の前記係合が外れると、他方の係合だけでは前記スライド扉１６の重量を支持し切れないため、該スライド扉１６は自重で落下してしまうことがある。すなわち、前記ワイパ２４における突出端２４ａの摩耗変形や、前記スライド扉１６の傾きなどで前記山形部２６ａによる該突出端２４ａとの当接係合が不安定になり、僅かの振動等により該スライド扉１６が自重落下してしまう欠点がある。
【課題を解決するための手段】
【００１５】
前記課題を解決し、所期の目的を達成するため、請求項１に記載の発明は、
上下に昇降して開口部を開閉自在に閉成するスライド扉を備え、該スライド扉が上昇して該開口部を完全に閉成したときは、該スライド扉の左右下端と弾性片とが弾力的に係合して該スライド扉を閉成姿勢に保持するストッカーにおいて、
前記スライド扉が上下に昇降する領域の左右にスペーサガイドが固定されており、
前記左右のスペーサガイドは前記スライド扉の左右両側端縁と対応的に当接して、該スライド扉と前記ストッカーの固定部位との間に一定のスペースを確保するようになっており、
前記ストッカーの固定部位は、該ストッカー正面の左右に立設した一対のガイドレールであって、前記スペーサガイドは夫々のガイドレールに固定されていることを要旨とする。
請求項１に係る発明によれば、スライド扉のドアハンドルを操作者が昇降させるに際し、該ドアハンドルの左右何れかを把持して片寄った力を加えても、スペーサガイドの存在により該スライド扉は水平姿勢を保持して昇降し、何れかに傾いて昇降することによる弊害を生ずることがない。また、各スペーサガイドは左右の対応するガイドレールに確実に取り付けられるので、スライド扉を介して左右何れかへ片寄った力が加わっても、変形により該スライド扉が変位することがない。
前記課題を解決し、所期の目的を達成するため、請求項２に記載の発明は、
上下に昇降して開口部を開閉自在に閉成するスライド扉を備え、該スライド扉が上昇して該開口部を完全に閉成したときは、該スライド扉の左右下端と弾性片とが弾力的に係合して該スライド扉を閉成姿勢に保持するストッカーにおいて、
前記スライド扉が上下に昇降する領域の左右にスペーサガイドが固定されており、
前記左右のスペーサガイドは前記スライド扉の左右両側端縁と対応的に当接して、該スライド扉と前記ストッカーの固定部位との間に一定のスペースを確保するようになっており、
前記スライド扉における左右下端の夫々に第２ローラーを回転自在に枢支し、該スライド扉が上昇して前記開口部を完全に閉成したときは、前記第２ローラーに前記弾性片が弾力的に係合するようになっていることを要旨とする。
請求項２に係る発明によれば、スライド扉のドアハンドルを操作者が昇降させるに際し、該ドアハンドルの左右何れかを把持して片寄った力を加えても、スペーサガイドの存在により該スライド扉は水平姿勢を保持して昇降し、何れかに傾いて昇降することによる弊害を生ずることがない。また、スライド扉におけるワイパの両端に突出端を設ける必要がなくなり、この突出端の摩耗や損傷に伴う不具合やワイパ交換の手間を解消し得る。
【００１７】
請求項３に記載の発明は、前記ストッカーの固定部位は、該ストッカー正面の左右に位置する一対のフレームであって、前記スペーサガイドは夫々のフレームに固定されていることを要旨とする。
請求項３に係る発明によれば、各スペーサガイドは左右の対応するフレームに確実に取り付けられるので、スライド扉を介して左右何れかへ片寄った力が加わっても、変形により該スライド扉が変位することがない。
【００１８】
請求項４に記載の発明は、前記スペーサガイドはローラーであって、該ローラーは前記ストッカー正面の左右に位置する一対のフレームの夫々に回転自在に枢支されていることを要旨とする。
請求項４に係る発明によれば、スペーサガイドは必ずしもブロック体でなくても、ローラーとすることによってブロック体と同様の効果を奏し得る。
【発明の効果】
【００２０】
スライド扉の両側にスペーサガイドを設け、このスペーサガイドに弾性片が当接係合するようにして、該スライド扉の上昇姿勢を安定に保持し得る。
【図面の簡単な説明】
【００２１】
【図１】本発明に係るスペーサガイドの要部拡大斜視図であって、ガイドレールの上部に設けた前記スペーサガイドに弾性片が当接係合して、スライド扉を上昇姿勢に保持している状態を示している。
【図２】スライド扉を上昇させてワイパを板バネに保持させた状態において、ガイドレールに設けたスペーサガイドが該ガイドレールの角穴部より上部に位置していることを示す要部拡大図である。
【図３】スライド扉を下降させた際に、スペーサガイドがドアパネルの左右に形成した凹部を案内することを示す要部拡大図である。
【図４】スペーサガイドをガイドレールに設けたことにより、スライド扉を上昇させた場合に該扉に片寄った力が加わっても、ワイパがガイドレールの角穴へ嵌り込むのが防止されることを示す要部拡大図である。
【図５】(１)は、スライド扉におけるドアハンドルの左端を押し下げても、該扉はスペーサガイドに接触した状態で案内されるため、水平姿勢を保持して下降することを示す説明図であって、(２)は(１)の円Ａの拡大図、(３)は(１)の円Ｂの拡大図である。
【図６】(１)は、スライド扉におけるドアハンドルの右端を持ち上げても、該扉はスペーサガイドに接触した状態で案内されるため、水平姿勢を保持して上昇することを示す説明図であって、(２)は(１)の円Ａの拡大図、(３)は(１)の円Ｂの拡大図である。
【図７】本発明の実施例に示すスペーサガイドの斜視図である。
【図８】スペーサガイドの第１変形例の斜視図である。
【図９】(１)は、図８に示した第１変形例に係るスペーサガイドを貯氷庫のフレームに取り付けた状態を示す要部斜視図であって、(２)は第１変形例に係るスペーサガイドをフレームに取り付ける際の分解斜視図である。
【図１０】スペーサガイドの第２変形例の斜視図である。
【図１１】図１０に示すスペーサガイドを貯氷庫のフレームに固定した状態を示す要部拡大斜視図である。
【図１２】スライド扉を完全に下降させると、ドアパネルの側縁に形成した凸部がスライドレールに沿って移動し、また凹部は板バネに接触しない状態になっていることを示す要部拡大図である。
【図１３】本発明の別例を示す説明図であって、(１)は下部両隅に第２ローラーを回転自在に枢支した状態を示すスライド扉の裏側平面図、(２)はドアパネルの表側において補強フレームに固定した軸支ピンに第２ローラーを取り付けた状態を示す部分斜視図、(３)はドアパネルの裏側において前記第２ローラーを軸支ピンにＥリングで取り付けた状態を示す部分斜視図である。
【図１４】(１)は、図１３に示した第２ローラーを枢支したスライド扉を下降させた状態を示す斜視図であって、(２)は(１)の円Ａの拡大斜視図である。
【図１５】スライド扉を完全に上昇させた場合に、第２ローラーと弾性片との係合関係を示す要部拡大図である。
【図１６】スライド扉を図１５の位置から僅かに下降させた場合に、第２ローラーと弾性片との位置関係を示す要部拡大図である。
【図１７】スライド扉を図１６に示す位置より更に下降させると、第２ローラーがガイドレールと接触して下方へ案内される状態を示す要部拡大図である。
【図１８】本発明に係るスライド扉を設けたストッカーの斜視図であって、(１)はスライド扉を上昇させて開口部を閉成した状態を示し、(２)はスライド扉を下降させて開口部を開放した状態を示している。
【図１９】スライド扉を上昇させて開口部を閉成した際の従来技術に係る扉保持構造を示す斜視図であって、(１)は貯氷庫からフロントカバーを外した状態を示し、(２)は(１)に円Ａで示す部位の拡大図である。
【図２０】スライド扉の概略構成を示す説明図であって、(１)は該扉の裏側平面図、(２)は該扉の表側斜視図、(３)は該扉の裏側斜視図、(４)は該扉の側面図、(５)は該扉の下部にワイパを取り付けた状態を示す部分縦断面図である。
【図２１】(１)は、スライド扉の下部に設けたワイパと、該扉を上昇姿勢に保持するための弾性片との係合関係を示す説明図であって、(２)は(１)に円Ａで示す部位の拡大図である。
【図２２】(１)は、スライド扉が僅かに下降して、該スライド扉の下部に設けたワイパが弾性片との係合を解除した状態を示す説明図であって、(２)は(１)に円Ａで示す部位の拡大図である。
【図２３】(１)は、スライド扉が完全に下降して開口部を開放した際の弾性片との位置関係を示す説明図であって、(２)は(１)に円Ａで示す部位の拡大図である。
【図２４】(１)は、スライド扉の位置によっては、ワイパがガイドレールの角穴部に嵌り込む場合があることを示す説明図であって、(２)は(１)に円Ａで示す部位の拡大図である。
【図２５】(１)は、操作者がドアハンドルの左端を押し下げると、スライド扉は斜め左方へ傾いた状態で下降することを示す説明図であって、(２)は(１)の円Ａの拡大図、(３)は(１)の円Ｂの拡大図である。
【図２６】(１)は、スライド扉におけるドアハンドルの左端を押し上げると、該扉は斜め左方へ傾いた状態で上昇することを示す説明図であって、(２)は(１)の円Ａの拡大図、(３)は(１)の円Ｂの拡大図である。
【図２７】(１)は、スライド扉に設けたワイパの機能を説明するための貯氷庫の縦断面図であって、(２)は(１)の円Ａの拡大図である。
【発明を実施するための形態】
【００２２】
次に、本発明に係るストッカーの実施例を、添付図面を参照して説明する。実施例としては、図１８に関して説明したように、大量の氷塊を貯留する貯氷庫１０について説明するが、本発明のストッカーは、上下に昇降するスライド扉で開口部を開閉する物品収容庫であれば、貯氷庫に限らず物品貯蔵庫や温蔵庫その他湿度調整庫等を広く包含する。また実施例に係る貯氷庫１０の基本構成については、図１８〜図２７を参照して説明したので、以下の説明では既述の部材については同じ参照符号で示すことにする。
【００２３】
先に図２４〜図２６に関して説明した如く、従来の貯氷庫１０では、操作者が前記スライド扉１６を開閉する際に、前記ドアハンドル１８の左右何れかへ片寄った部位に手を掛けて昇降させると、該スライド扉１６が僅かに斜め右または斜め左に偏倚し、これにより前述した不都合を生ずる欠点があった。本発明は、この欠点を解消するため提案されたものであって、前記スライド扉１６が前記ガイドレール２２，２２に挟まれて上下に昇降する領域の左右に、図１〜図４に示すスペーサガイド４２を固定的に設けるようにしたものである。更に詳細には、例えば図７に示すブロック状のスペーサガイド４２は、該スペーサガイド４２の中心に穿孔した貫通穴４４にボルト４６を挿通して、前記ガイドレール２２に捩じ込むことで固定される。前記スペーサガイド４２の固定位置は、図１〜図４に示す如く、前記ガイドレール２２の手前側に立ち上がっている案内面であって、該ガイドレール２２に開設した前記角穴部３８の上方で、かつ前記スライドレール２０の最下端に近接した部位にするのが好ましい。このように前記スペーサガイド４２は、図２〜図４に示すように、前記スライド扉１６におけるドアパネル２８の左右両側端縁、すなわち前記凹部２８ｂに当接または近接して、該スライド扉１６と前記貯氷庫１０の固定部位(例えばガイドレール２２)との間に、常に一定のスペースを確保するようになっている。また、前記の如く、前記スペーサガイド４２の固定位置を前記角穴部３８より上方に設定しておくことにより、前記スライド扉１６が昇降操作時に多少左右へガタつくことがあっても、前記ワイパ２４の突出端２４ａが該角穴部３８へ入り込む不都合が未然に防止される。
【００２４】
図２は、前記スライド扉１６を完全に上昇させて、前記貯氷庫１０の開口部１４を閉成した状態を示している。そして前記ワイパ２４の左右突出端２４ａは、前記ガイドレール２２の角穴部３８から内方へ延出している山形部２６ａ(弾性片２６の)に当接係合して、該スライド扉１６を上昇位置に保持している。このとき前記スペーサガイド４２は、前記ドアパネル２８の両側端縁をなす前記凹部２８ｂに当接または極めて近接している。この場合に、前記スペーサガイド４２を前記凹部２８ｂに常に当接させるようにしても良いが、前記スライド扉１６を昇降させる際の摩擦抵抗の大きさにも関係してくるので、或る程度近接させた状態に位置関係を設定するのが好ましい。従って、前記スライド扉１６が昇降する際には、該スライド扉１６の凹部２８ｂが前記スペーサガイド４２と当接または近接しているために、操作者が前記ドアハンドル１８の片寄った位置に手を掛けて昇降させても、該スライド扉１６は左右に偏倚することがなく、従来技術で述べた欠点が回避される。前記スライド扉１６を下降させて、図４に示すように、前記弾性片２６の山形部２６ａと前記ワイパ２４の突出端２４ａとの係合を解除させたときも、また図３に示すように、前記スライド扉１６を完全に下降させたときも、図２に示した場合と同様に、該スライド扉１６は前記スペーサガイド４２によって両側から位置規制されるため片側へ偏倚することがない。
【００２５】
図８および図９は、前記スペーサガイド４２の第１変形例を示すものである。このスペーサガイド４２は、側面がＬ字形をなすブロック体として構成され、図９に示す取り付け方により、前記フレーム３６にボルト４８で固定されている。すなわち、図２に示す場合は、前記スペーサガイド４２が取り付けられる固定部位は前記ガイドレール２２であったが、図８に示すスペーサガイド４２が固定される対象は、前記貯氷庫１０の前面に対向している一対の前記フレーム３６，３６である。すなわち、図９(２)に拡大して示すように、前記ガイドレール２２は前記貯氷庫１０のフレーム(前枠)３６に固定されている。このガイドレール２２には、前述したように、弾性片２６の山形部２６ａが臨む角穴部３８が設けられているが、該ガイドレール２２における前記角穴部３８より上方で、かつ前記フレーム３６寄りの部位に切欠部５０が形成されている。そして前記スペーサガイド４２は、前記貫通穴４４を設けた一方の部位４２ａを前記ガイドレール２２の前記切欠部５０に挿通させた後に、該貫通穴４４にボルト４８を挿通して前記フレーム３６に捩じ込むことにより固定されている。このとき、前記スペーサガイド４２の他方の部位４２ｂは、前記ガイドレール２２の裏面に密着して前記スライド扉１６の昇降領域に臨んでいる。このように、図８および図９に示す第１変形例のスペーサガイド４２によれば、前記スライド扉１６が昇降する際に片寄った力が加わっても片側に偏倚することはない。
【００２６】
図１０〜図１２は、前記スペーサガイド４２としてローラーを用いた場合の第２変形例である。すなわち、図１０に示すように、例えばテフロン(登録商標)等の摩耗の少ない樹脂を材質とするローラーを前記スペーサガイド４２として使用する。このローラー４２は、支軸５２の周りを自由に回転するもので、該支軸５２の他端には雄ネジ５４が形成されている。このローラー４２(スペーサガイド)は、図１１および図１２に示すように、前記フレーム３６に前記雄ネジ５４を捩じ込むことで固定され、前記ガイドレール２２の上端部と前記スライドレール２０の下端部との間に位置している。なお、前記ローラー４２の直径は、前記スライド扉１６の側端縁をなす前記凹部２８ｂに当接して回転可能な寸法に設定されている。
【００２７】
本発明では、前述したように、前記スライド扉１６の昇降時に左右へ偏倚しないよう位置規制するスペーサガイド(ローラー)４２を設けたことにより、前述した従来技術の欠点が解消された。例えば、図５(１)に示すように、前記スライド扉１６におけるドアハンドル１８の左端を操作者が押し下げて左側へ片寄った力を加えても、図５(２)および(３)に示すように、該スライド扉１６の凹部２８ｂは前記スペーサガイド４２により位置規制される。すなわち前記スライド扉１６が左側へ偏倚することはない。同様に図６に示す如く、前記スライド扉１６におけるドアハンドル１８の右側を持って上方へ持ち上げても、前記スペーサガイド４２の存在により該スライド扉１６が左右何れかに片寄ることはない。
【００２８】
(ワイパ突出端２４ａの代替案)
前記スライド扉１６を上昇姿勢に保持する従来の構成としては、図２１(２)に関して前述したように、前記ワイパ２４における左右の突出端２４ａに前記弾性片２６の山形部２６ａを弾力的に当接係合させる手段が実施されていた。しかし、前記ワイパ２４は摺動性や密着性の良好な合成樹脂を材質としているために、前記スライド扉１６の昇降を長期に亘り反復していると、前記突出端２４ａが前記山形部２６ａとの接触・離脱により次第に摩耗して来ることは避けられない。この突出端２４ａの摩耗が進行すると、前記山形部２６ａとの接触が甘くなって充分なロックが利かなくなり、上昇姿勢で保持されていた前記スライド扉１６が自重で落下する欠点がある。
【００２９】
図１３〜図１７に示す構成は、前記突出端２４ａの経時摩耗により生ずる欠点を解決するため提案されたもので、前記ワイパ２４に突出端２４ａを形成することに代えて、前記スライド扉１６におけるドアパネル２８の下方隅部に、ローラー５６を回転自在に枢支させたものである。なお、前記スペーサガイド４２としてのローラーと紛らわしいので、以下第２ローラー５６と称する。すなわち図１３(１)に示すように、前記スライド扉１６におけるドアパネル２８の下方の両隅角部(左右下端)には、第２ローラー５６が回転自在に枢支されている。この第２ローラー５６は、図１３(２)に示すように、前記ドアパネル２８に取り付けた第２当て板５８に固定されて水平に延出する軸支ピン６０に、回転自在に枢支されている。前記第２ローラー５６に挿通した前記軸支ピン６０の端部は、図１３(３)に示すように、Ｅリング６２により係止されて、該第２ローラー５６の脱落を防止している。
【００３０】
前記第２ローラー５６と前記弾性片２６の山形部２６ａとの位置関係は、図１４および図１５に示す通りである。すなわち前記第２ローラー５６は、図２１(２)に示した前記ワイパ２４の突出端２４ａに代替するものであるから、該第２ローラー５６と前記山形部２６ａとの位置関係は、基本的に前記突出端２４ａと前記山形部２６ａとの位置関係に等しくなる。従って、図１５に示すように、前記スライド扉１６を完全に上昇させて前記開口部１４を閉成した際は、前記第２ローラー５６が前記弾性片２６の山形部２６ａに係合当接して、該スライド扉１６を閉成位置に安定的に保持する。なお、図１５に示すように、前記弾性片２６には補強片６４を積層することで、該弾性片２６の耐久性が伸び弾性特性の低下も少なくなる。
【００３１】
図１６に示すように、前記スライド扉１６を前記保持位置から若干距離だけ下降させると、前記第２ローラー５６は前記山形部２６ａを弾力的に外方へ後退させて係合を解除する。次いで、図１７に示すように、前記第２ローラー５６は前記ガイドレール２２の垂直面へ移行して当接し、自転しながら前記スライド扉１６を下方へ向けて円滑に案内する。このように、前記ワイパ２４の左右両端部に突出端２４ａを形成することに代えて、前記弾性片２６の山形部２６ａと係脱自在に当接する前記第２ローラー５６を設けたことにより、前記突出端２４ａの摩耗による前記スライド扉１６の自重落下が確実に防止される。
【符号の説明】
【００３２】
１０  ストッカー、貯氷庫，１４  開口部，１６  スライド扉，２２  ガイドレール，
２６  弾性片，３６  フレーム，４２  スペーサガイド、ローラー，
５６  第２ローラー
【図１】
0006636789.tif 000002
【図２】
0006636789.tif 000003
【図３】
0006636789.tif 000004
【図４】
0006636789.tif 000005
【図５】
0006636789.tif 000006
【図６】
0006636789.tif 000007
【図７】
0006636789.tif 000008
【図８】
0006636789.tif 000009
【図９】
0006636789.tif 000010
【図１０】
0006636789.tif 000011
【図１１】
0006636789.tif 000012
【図１２】
0006636789.tif 000013
【図１３】
0006636789.tif 000014
【図１４】
0006636789.tif 000015
【図１５】
0006636789.tif 000016
【図１６】
0006636789.tif 000017
【図１７】
0006636789.tif 000018
【図１８】
0006636789.tif 000019
【図１９】
0006636789.tif 000020
【図２０】
0006636789.tif 000021
【図２１】
0006636789.tif 000022
【図２２】
0006636789.tif 000023
【図２３】
0006636789.tif 000024
【図２４】
0006636789.tif 000025
【図２５】
0006636789.tif 000026
【図２６】
0006636789.tif 000027
【図２７】
0006636789.tif 000028